(57)【要約】【課題】白飛びや黒つぶれを回避又は軽減する方向に露出補正してブラケティング撮影できるようにする。【解決手段】オートブラケティング撮影時の１枚目の撮影は、被写体の明るさに基づいて求めた適正な露出値で撮影を行う（ステップＳ１８ａ）。そして、１枚目の画像が露出アンダーで黒つぶれ現象が発生していると判定されると（ステップＳ１８ｄ）、２枚目の撮影は適正な露出値を−０．５  ＥＶだけ露出補正して行い、３枚目の撮影は適正な露出値を−１．０  ＥＶだけ露出補正して行う（ステップＳ１８ｅ、Ｓ１８ｆ）。同様にして、１枚目の画像が露出オーバーで白飛び現象が発生していると判定されると（ステップＳ１８ｇ）、２枚目の撮影は適正な露出値を＋０．５  ＥＶだけ露出補正して行い、３枚目の撮影は適正な露出値を＋１．０  ＥＶだけ露出補正して行う（ステップＳ１８ｈ、Ｓ１８ｉ）。１枚目の画像が露出アンダー又は露出オーバーでないと判定されると、２枚目以降は撮影は通常の露出補正を行う（ステップＳ１８ｊ、Ｓ１８ｋ）。【選択図】          図４
2004245923.tif 000002
【特許請求の範囲】
【請求項１】
被写体の明るさに基づいて求めた適正な露出値と、該適正な露出値よりも露出アンダーとなる露出値や露出オーバーとなる露出値とを含む複数の露出値でそれぞれ被写体を連続的に撮影するオートブラケティング撮影方法において、
（ａ）  前記適正な露出値で被写体の１枚目の撮影を行うステップと、
（ｂ）  前記被写体の１枚目の撮影結果に基づいて前記適正な露出値が前記被写体に対して適正だったか、露出アンダーであったか、又は露出オーバーであったかを判別するステップと、
（ｃ）  前記適正な露出値が適正であったと判別されると、該適正な露出値よりも露出オーバーとなる露出値と露出アンダーとなる露出値とで２枚目以降の撮影を行い、前記適正な露出値が露出アンダーであったと判別されると、該適正な露出値よりも露出オーバーとなる露出値で２枚目以降の撮影を行い、前記適正な露出値が露出オーバーであったと判別されると、該適正な露出値よりも露出アンダーとなる露出値で２枚目以降の撮影を行うステップと、
を含むことを特徴とするオートブラケティング撮影方法。
【請求項２】
前記ステップ（ｂ）  は、前記被写体の１枚目の撮影時に取得した画像の全画素に対する黒つぶれとなる画素の割合、及び白飛びとなる画素の割合を求め、前記黒つぶれとなる画素の割合が第１の閾値以上の場合には前記適正な露出値が露出アンダーであったと判別し、前記白飛びとなる画素の割合が第２の閾値以上の場合には前記適正な露出値が露出オーバーであったと判別し、それ以外の場合には前記適正な露出値が適正だったと判別することを特徴とする請求項１のオートブラケティング撮影方法。
【請求項３】
前記ステップ（ｃ）  は、前記黒つぶれとなる画素の割合の大きさに対応した補正量だけ前記適正な露出値よりも露出オーバーとなる露出値を決定して２枚目以降の撮影を行い、前記白飛びとなる画素の割合の大きさに対応した補正量だけ前記適正な露出値よりも露出アンダーとなる露出値を決定して２枚目以降の撮影を行うことを特徴とする請求項２のオートブラケティング撮影方法。
【請求項４】
前記オートブラケティング撮影した複数の画像をメモリに一時記憶させるとともに、各画像の濃度分布を示すヒストグラムを作成し、前記複数の画像とヒストグラムとを表示手段に表示させ、前記複数の画像のうちの任意の画像を選択して記録媒体に記録可能にしたことを特徴とする請求項１、２又は３のオートブラケティング撮影方法。
【発明の詳細な説明】
【０００１】
【発明の属する技術分野】
本発明はオートブラケティング撮影方法に係り、特にデジタルカメラでのオートブラケティング撮影時の露出補正方向を自動的に設定するオートブラケティング撮影方法に関する。
【０００２】
【従来の技術】
従来の一般的なオートブラケティング撮影方法は、被写体の明るさを測光して適正な露出値を求め、この適正な露出値と、適正な露出値よりも露出アンダーとなる露出値及び露出オーバーとなる露出値とを含む複数の露出値でそれぞれ被写体を連続的に撮影するようにしている。尚、適正な露出値よりも露出アンダーとなる露出値及び露出オーバーとなる露出値は、例えば露出補正ダイヤルやメニューなどで、適正な露出値に対して±０．５  ＥＶ、±１ＥＶ等の所望の補正量を予め設定しておき、これらの補正量だけ適正な露出値を補正することで求めている。
【０００３】
これに対し、補正量の設定を不要としたオートブラケティング装置が提案されている（特許文献１）。このオートブラケティング装置は、被写体を複数の測光方式で測光（スポット測光、中央部重点測光、及び平均測光）し、各測光方式で測光した測光値に基づいてそれぞれ露出値を決定し、各露出値で被写体を撮影するようにしている。
【０００４】
また、オートブラケティング撮影した複数の画像を複数のフレームメモリに記憶させるとともに外部モニタに表示させ、選択部で選択した画像のみをカメラ内メモリに記憶させるようにした電子スチルカメラが提案されている（特許文献２）。
【０００５】
【特許文献１】
特開平７−１４０５０９号公報
【０００６】
【特許文献２】
特開平１１−４３８０号公報
【０００７】
【発明が解決しようとする課題】
デジタルカメラの撮像素子のラチチュードは銀塩フイルムに比べて狭く、またダイナミックレンジの制約等により、現状のカメラの自動露出制御（ＡＥ）で適正な露出値を求め、この適正な露出値と、適正な露出値に対して露出オーバー及び露出アンダーとなる露出値とでオートブラケティング撮影しても予想に反して白飛びや黒つぶれ現象が発生する場合がある。また、被写体の背景の明るさの影響によっても予期せぬ露出設定となってしまう。この状況でオートブラケティング撮影しても、適正とカメラが判断して撮影した画像自体が白飛びや黒つぶれしているので、最悪の場合、より白飛びする方向に何枚も撮影したり、より黒つぶれする方向に何枚も撮影してしまい、撮影の無駄が生じるという問題がある。
【０００８】
一方、特許文献１に記載のオートブラケティング装置は、被写体をスポット測光、中央部重点測光、及び平均測光の複数の測光方式で測光した各露出値でオートブラケティング撮影を行うようにしているが、複数の測光方式のいずれの測光方式でも適正な露出値が得られない被写体に対しては白飛びや黒つぶれが発生し、又は白飛びや黒つぶれを軽減できない場合がある。
【０００９】
本発明はこのような事情に鑑みてなされたもので、白飛びや黒つぶれを補正する方向を自動的に判断し、白飛びや黒つぶれを回避又は軽減する方向に露出補正してブラケティング撮影することができるオートブラケティング撮影方法を提供することを目的とする。
【００１０】
【課題を解決するための手段】
前記目的を達成するために請求項１に係る発明は、被写体の明るさに基づいて求めた適正な露出値と、該適正な露出値よりも露出アンダーとなる露出値や露出オーバーとなる露出値とを含む複数の露出値でそれぞれ被写体を連続的に撮影するオートブラケティング撮影方法において、
（ａ）  前記適正な露出値で被写体の１枚目の撮影を行うステップと、
（ｂ）  前記被写体の１枚目の撮影結果に基づいて前記適正な露出値が前記被写体に対して適正だったか、露出アンダーであったか、又は露出オーバーであったかを判別するステップと、
（ｃ）  前記適正な露出値が適正であったと判別されると、該適正な露出値よりも露出オーバーとなる露出値と露出アンダーとなる露出値とで２枚目以降の撮影を行い、前記適正な露出値が露出アンダーであったと判別されると、該適正な露出値よりも露出オーバーとなる露出値で２枚目以降の撮影を行い、前記適正な露出値が露出オーバーであったと判別されると、該適正な露出値よりも露出アンダーとなる露出値で２枚目以降の撮影を行うステップと、
を含むことを特徴としている。
【００１１】
即ち、オートブラケティング撮影時の１枚目の撮影は、被写体の明るさに基づいて求めた適正な露出値で撮影を行う。そして、オートブラケティング撮影時の２枚目以降の撮影は、１枚目の撮影結果に基づいて露出補正の補正方向を判定する。例えば、１枚目の画像が露出アンダーで黒つぶれ現象が発生している場合には、黒つぶれを回避又は低減する方向に露出補正し、１枚目の画像が露出オーバーで白飛び現象が発生している場合には、白飛びを回避又は低減する方向に露出補正する。１枚目の画像が露出アンダー又は露出オーバーでないと判定された場合には、１枚目の撮影時の露出値（適正な露出値）に対して露出オーバーとなる露出値及び露出アンダーとなる露出値で２枚目以降の撮影を行うようにしている。これにより、１枚目の画像が露出アンダーの場合に、更に露出アンダーとなる露出値で撮影したり、１枚目の画像が露出オーバーの場合に、更に露出オーバーとなる露出値で撮影する無駄を省くことができる。
【００１２】
請求項２に示すように、請求項１のオートブラケティング撮影方法において、前記ステップ（ｂ）  は、前記被写体の１枚目の撮影時に取得した画像の全画素に対する黒つぶれとなる画素の割合、及び白飛びとなる画素の割合を求め、前記黒つぶれとなる画素の割合が第１の閾値以上の場合には前記適正な露出値が露出アンダーであったと判別し、前記白飛びとなる画素の割合が第２の閾値以上の場合には前記適正な露出値が露出オーバーであったと判別し、それ以外の場合には前記適正な露出値が適正だったと判別することを特徴としている。尚、第１の閾値と第２の閾値は、同じ値でもよいし、異なる値でもよい。
【００１３】
請求項３に示すように、請求項２のオートブラケティング撮影において、前記ステップ（ｃ）  は、前記黒つぶれとなる画素の割合の大きさに対応した補正量だけ前記適正な露出値よりも露出オーバーとなる露出値を決定して２枚目以降の撮影を行い、前記白飛びとなる画素の割合の大きさに対応した補正量だけ前記適正な露出値よりも露出アンダーとなる露出値を決定して２枚目以降の撮影を行うことを特徴としている。即ち、露出補正幅も自動的に決定するようにしている。
【００１４】
請求項４に示すように、請求項１又は２のオートブラケティング撮影方法において、前記オートブラケティング撮影した複数の画像をメモリに一時記憶させるとともに、各画像の濃度分布を示すヒストグラムを作成し、前記複数の画像とヒストグラムとを表示手段に表示させ、前記複数の画像のうちの任意の画像を選択して記録媒体に記録可能にしたことを特徴としている。各画像のヒストグラムから黒つぶれや白飛びの状況を正確に判断することができ、オートブラケティング撮影した複数の画像のうちの代表画像のみを記録する場合に、その代表画像の判断を良好に行うことができる。
【００１５】
【発明の実施の形態】
以下添付図面に従って本発明に係るオートブラケティング撮影方法の好ましい実施の形態について詳説する。
【００１６】
図１は本発明に係るオートブラケティング撮影方法が適用されるデジタルカメラの背面図である。このデジタルカメラ１０の上面には、撮影モード選択ダイヤル１１及びシャッターボタン１２が設けられている。撮影モード選択ダイヤル１１は、回転させることにより、連写／ブラケティングモード、マニュアル撮影モード、オート撮影モード、人物モード、風景モード、及び夜景モードのうちのいずれかの撮影モードを設定できるようになっている。
【００１７】
また、撮影モード選択ダイヤル１１の中央に設けられたシャッターボタン１２は、半押し時にＯＮしてフォーカスロック、測光等の撮影準備を行わせるスイッチＳ１と、全押し時にＯＮして画像の取り込みを行わせるスイッチＳ２とを有している。
【００１８】
図１に示すようにデジタルカメラ１０の背面には、ファインダ１３、表示ボタン１４、電源スイッチ１５、撮影／再生モード選択スイッチ１６、バックスイッチ１７、メニュー／ＯＫスイッチ１８、マルチファンクションの十字キー１９、ドットマトリクスの液晶表示器２０、及び液晶モニタ２１が設けられている。
【００１９】
液晶表示器２０は、カメラの動作モードや十字キー１９の機能等を文字やアイコンで表示する。また、液晶モニタ２１は、動画（スルー画像）を表示して電子ビューファインダとして使用できるとともに、撮影した記録前の画像（プレビュー画像）やカメラに装填されたメモリカードから読み出した再生画像等を表示することができる。更に、液晶モニタ２１は、撮影可能コマ数や再生コマ番号の表示、マニュアル設定する際のホワイトバランス、画素数、圧縮率、及びシャープネス等をマニュアル設定する際の各種のメニュー等がメニュー／ＯＫスイッチ１８や十字キー１９の操作に応じて表示される。
【００２０】
尚、本発明に係るオートブラケティング撮影モードの設定は、撮影モード選択ダイヤル１１によって連写／ブラケティングモードを選択し、更にメニュー／ＯＫスイッチ１８や十字キー１９の操作によって露出補正量として、０．５  ＥＶ、１ＥＶ等の所望の補正量を選択することによって行われる。また、連写モードの設定は、撮影モード選択ダイヤル１１によって連写／ブラケティングモードを選択し、更にメニュー／ＯＫスイッチ１８や十字キー１９の操作によって露出補正量として、０ＥＶの補正量を選択することによって行われる。
【００２１】
図２は図１に示したデジタルカメラ１０の内部構成を示すブロック図である。
【００２２】
同図において、メインＣＰＵ２２は、前述した撮影モード選択ダイヤル１１、シャッターボタン１２、電源スイッチ１５、撮影／再生モード選択スイッチ１６、バックスイッチ１７、メニュー／ＯＫスイッチ１８、及び十字キー１９等を含む操作スイッチ２４からの入力に基づいてデジタルカメラ１０内の各回路を統括制御する。また、メインＣＰＵ２２は、ＳＤＲＡＭ（シンクロナス・ダイナミックＲＡＭ）２６、ＲＯＭ２８、ＥＥＰＲＯＭ３０との間で必要なデータの授受が行われる。尚、ＲＯＭ２８には、カメラ制御プログラム等が記録され、ＥＥＰＲＯＭ３０には、固体撮像素子の欠陥情報等のカメラ制御に関する各種のパラメータ、データが格納されている。
【００２３】
まず、電源スイッチ１５が操作されると、ＣＰＵ２２はこれを検出し、カメラ内電源をＯＮにする。また、撮影／再生モード選択スイッチ１６によって撮影モードが選択されると、撮影スタンバイ状態にする。
【００２４】
上記撮影スタンバイ状態時にシャッターボタン１２が押されると、ＣＰＵ２２はこれを検知し、カメラＣＰＵ３２にコマンドを送る。カメラＣＰＵ３２は、フォーカス制御、測光、露出制御を行い、光学ユニット３４を介して被写体の画像光を固体撮像素子（ＣＣＤ）３６の受光面上に結像させる。ＣＣＤ３６は、受光面に結像された画像光をその光量に応じた量の信号電荷に変換する。このようにして蓄積された信号電荷は、クロック発生回路３８から加えられるリードゲートパルスによってシフトレジスタに読み出され、レジスタ転送パルスによって信号電荷に応じた電圧信号として順次読み出される。尚、このＣＣＤ３６は、蓄積した信号電荷をシャッタゲートパルスによって掃き出すことができ、これにより電荷の蓄積時間（シャッタスピード）を制御する、いわゆる電子シャッタ機能を有している。
【００２５】
ＣＣＤ３６から出力された電圧信号は、アナログ処理回路４０によって相関二重サンプリングや増幅等のアナログ処理が施された後、各画素ごとのＲ、Ｇ、Ｂ信号としてＡ／Ｄ変換器４２に加えられる。Ａ／Ｄ変換器４２は、アナログ処理回路４０から順次加えられるＲ、Ｇ、Ｂ信号をそれぞれ１２ビットのＲ、Ｇ、Ｂ信号に変換する。これらのＲ、Ｇ、Ｂ信号は、一旦ワークメモリとしてのＳＤＲＡＭ２６に格納される。
【００２６】
画像信号処理回路４４は、上記ＳＤＲＡＭ２６に格納された１２ビットのＲ、Ｇ、Ｂの生データを読み出し、これらに光源種に応じたデジタルゲインをかけることでホワイトバランス調整を行うとともに、ガンマ（階調特性）処理及びシャープネス処理を行って８ビットのＲ、Ｇ、Ｂ信号を生成し、更にＹＣ信号処理して輝度信号Ｙとクロマ信号Ｃｒ、Ｃｂ（ＹＣ信号）を生成し、そのＹＣ信号を再びＳＤＲＡＭ２６に格納する。
【００２７】
上記のようにしてＳＤＲＡＭ２６に格納されたＹＣ信号は、圧縮・伸長回路４６によって所定のフォーマットに圧縮されたのち、インターフェース回路４８を介してメモリカード５０に記録される。
【００２８】
一方、撮影／再生モード選択スイッチ１６によって再生モードが選択されると、メモリカード５０に記録されている最終コマの画像ファイルがインターフェース回路４８を介して読み出される。この読み出された画像ファイルの圧縮データは、圧縮・伸長回路４６を介して非圧縮のＹＣ信号に伸長される。
【００２９】
伸長されたＹＣ信号は、ＶＲＡＭ５２を介してビデオエンコーダ５４に加えられ、ここでＮＴＳＣ方式のカラー複合映像信号に変換され、液晶モニタ２１に出力される。これにより、液晶モニタ２１にはメモリカード５０に記録されている最終コマのコマ画像が表示される。
【００３０】
その後、順コマ送りスイッチ（十字キー１９の右キー）が押されると、順方向にコマ送りされ、逆コマ送りスイッチ（十字キー１９の左キー）が押されると、逆方向にコマ送りされる。そして、コマ送りされたコマ位置の画像ファイルがメモリカード５０から読み出され、上記と同様にしてコマ画像が液晶モニタ２１に再生される。尚、最終コマのコマ画像が表示されている状態で順方向にコマ送りされると、メモリカード５０に記録されている１コマ目の画像ファイルが読み出され、１コマ目のコマ画像が液晶モニタ２１に再生される。
【００３１】
次に、本発明に係るオートブラケティング撮影方法について説明する。
【００３２】
デジタルカメラ１０の撮影モードとしてオートブラケティング撮影モードが選択されると、一度のシャッタレリーズで露出を変えて複数の画像（この実施の形態では、３枚の画像）を撮影するオートブラケティング撮影が行われる。
【００３３】
即ち、図３に示すようにシャッターボタン１２が半押し（スイッチＳ１がＯＮ）されたか否かを判別し（ステップＳ１０）、スイッチＳ１がＯＮされると、被写体の測光及びフォーカス制御を行う（ステップＳ１２）。続いて、シャッターボタン１２が全押し（スイッチＳ２がＯＮ）されたか否かを判別し（ステップＳ１４）、スイッチＳ２がＯＮされない場合には、スイッチＳ１がＯＮされているか否かを判別する（ステップＳ１６）。ステップＳ１６でスイッチＳ１がＯＮされている場合には、ステップＳ１４に戻って引き続きスイッチＳ２がＯＮされたか否かを判別し、スイッチＳ１がＯＦＦされると、ステップＳ１０に戻る。
【００３４】
ステップＳ１４でスイッチＳ２がＯＮされると、オートブラケティング撮影を実行する（ステップＳ１８）。
【００３５】
図４はステップＳ１８のオートブラケティング撮影の詳細を示すフローチャートである。
【００３６】
同図に示すように、まず、ステップＳ１２で測光した被写体の明るさに基づいて決定した適正な露出値で１枚目の撮影を行う（ステップＳ１８ａ）。この１枚目の撮影時に取得したＲ，Ｇ，Ｂ信号から生成した８ビットのＹＣ信号は、前述したようにＳＤＲＡＭ２６（以下、ワークメモリという）に格納される。続いて、ＹＣ信号のうちの輝度信号Ｙの濃度分布を示すヒストグラムを作成する（ステップＳ１８ｂ）。
【００３７】
図５乃至図７の実線で示すグラフは、１枚目の画像の輝度信号のヒストグラムである。
【００３８】
次に、上記作成したヒストグラムのうちのレベル０の画素数の１枚の画像の全画素数に対する割合ｘ（％）と、レベル２５５の画素数の１枚の画像の全画素数に対する割合ｙ（％）とを算出する（ステップＳ１８ｃ）。尚、レベル０の画素は、黒つぶれしている画素であり、レベル２５５の画素は、白飛びしている画素である。
【００３９】
上記算出した黒つぶれの画素の割合ｘ（％）が予め設定した閾値Ａ（％）以上か否かを判別し（ステップＳ１８ｄ）、肯定の場合には、１枚目の撮影時の露出値（適正な露出値）よりも０．５  ＥＶだけ小さい露出値で２枚目の撮影を行い（ステップＳ１８ｅ）、続いて、適正な露出値よりも１．０  ＥＶだけ小さい露出値で３枚目の撮影を行う（ステップＳ１８ｆ）。
【００４０】
図５は、１枚目の画像に関して算出した割合ｘ（％）が閾値Ａ（％）以上となった場合に関して示しており、この場合には、２枚目以降の画像は、明るくなる方向に露出補正されて撮影される。図５の点線及び破線は、それぞれ２枚目及び３枚目の画像のヒストグラムを示している。
【００４１】
一方、ステップＳ１８ｄでの判別が否定の場合には、前記算出した白飛びの画素の割合ｙ（％）が予め設定した閾値Ｂ（％）以上か否かを判別する（ステップＳ１８ｇ）。肯定の場合には、適正な露出値よりも０．５  ＥＶだけ大きい露出値で２枚目の撮影を行い（ステップＳ１８ｈ）、続いて、適正な露出値よりも１．０  ＥＶだけ大きい露出値で３枚目の撮影を行う（ステップＳ１８ｉ）。
【００４２】
図６は、１枚目の画像に関して算出した割合ｙ（％）が閾値Ｂ（％）以上となった場合に関して示しており、この場合には、２枚目以降の画像は、暗くなる方向に露出補正されて撮影される。図６の点線及び破線は、それぞれ２枚目及び３枚目の画像のヒストグラムを示している。
【００４３】
ステップＳ１８ｇでの判別が否定の場合には、ユーザが設定した補正ステップ（０．５  ＥＶ）に従い、適正な露出値よりも０．５  ＥＶだけ小さい露出値で２枚目の撮影を行い（ステップＳ１８ｊ）、続いて、適正な露出値よりも０．５  ＥＶだけ大きい露出値で３枚目の撮影を行う（ステップＳ１８ｋ）。
【００４４】
図７は、１枚目の画像に関して算出した黒つぶれ画素の割合ｘ（％）及び白飛びの画素の割合ｙ（％）が所定の閾値未満の場合に関して示しており、この場合には、２枚目以降の画像は、適正な露出値に対して明るくなる方向と、暗くなる方向にそれぞれ露出補正されて撮影される。図７の点線及び破線は、それぞれ２枚目及び３枚目の画像のヒストグラムを示している。
【００４５】
図３に戻って、上記オートブラケティング撮影された３枚の画像と、各画像毎のヒストグラムは、それぞれワークメモリに一時記憶されており（ステップＳ２０）、これらの画像及びヒストグラムは、それぞれ液晶モニタ２１にプレビュー画像として表示される（ステップＳ２２）。ユーザは、この液晶モニタ２１のヒストグラム等を見ながら操作スイッチ２４を操作してメモリカード５０に記録しない画像の選択を行うことができる。
【００４６】
次に、メニュー／ＯＫスイッチ１８が押されたか否かが判別される（ステップＳ２４）。ここで、バックスイッチ１７が押されると、ワークメモリに一時記録された画像等のデータはクリアされ（ステップＳ２６）、ステップＳ１０に戻る。一方、メニュー／ＯＫスイッチ１８が押されると、オートブラケティング撮影された画像のうちの記録しない画像以外の画像がメモリカード５０に記録される（ステップＳ２８）。尚、記録しない画像の指定がない場合には、オートブラケティング撮影された３枚の画像が記録されることになる。
【００４７】
この実施の形態では、補正方向の決定の際に１枚目の画像のヒストグラムを作成するようにしたが、ヒストグラムを作成せずに、黒つぶれの画素数、及び白飛びの画素数のみをカウントし、これらの画素数の全画素数に対する割合を求めるようにしてもよい。
【００４８】
また、露出の補正幅は、ユーザがメニューで指定する場合に限らず、例えば、黒つぶれの画素数の割合ｘ（％）や白飛びの画素数の割合ｙ（％）の大きさに基づいて、次表のように自動的に決定してもよい。
【００４９】
【表１】
2004245923.tif 000003
【００５０】
尚、Ｃ，Ｄは、それぞれＡ，Ｂよりも大きな値に設定された閾値である。また、ＡとＢ、ＣとＤは、それぞれ異なる値でもよいし、同じ値でもよい。
【００５１】
更に、本発明に係るオートブラケティング撮影方法と、従来のオートブラケティング撮影方法（適正な露出値と、適正な露出値よりも露出アンダーとなる露出値及び露出オーバーとなる露出値で撮影方法）とを併用し、ユーザが適宜選択できるようにしてもよい。
【００５２】
【発明の効果】
以上説明したように本発明によれば、オートブラケティング撮影時に適正な露出値で撮影した１枚の画像中に白飛びや黒つぶれが生じる場合には、白飛びや黒つぶれを回避又は低減する方向に露出補正して２枚目以降の撮影を行うことができ、白飛びや黒つぶれを回避するための有効なオートブラケティング撮影が可能となる。
【図面の簡単な説明】
【図１】本発明に係るオートブラケティング撮影方法が適用されるデジタルカメラの背面図
【図２】前記デジタルカメラの内部構成を示したブロック図
【図３】本発明に係るオートブラケティング撮影方法を説明するために用いたフローチャート
【図４】本発明に係るオートブラケティング撮影方法を説明するために用いたフローチャート
【図５】本発明に係るオートブラケティング撮影方法で撮影された各画像のヒストグラムを示すグラフ
【図６】本発明に係るオートブラケティング撮影方法で撮影された各画像のヒストグラムを示すグラフ
【図７】本発明に係るオートブラケティング撮影方法で撮影された各画像のヒストグラムを示すグラフ
【符号の説明】
１０…デジタルカメラ、１１…撮影モード選択ダイヤル、１２…シャッターボタン、１７…バックスイッチ、１８…メニュー／ＯＫスイッチ、１９…十字キー、２１…液晶モニタ、２２…メインＣＰＵ、２６…ＳＤＲＡＭ、３４…光学ユニット、３６…ＣＣＤ、４４…画像信号処理回路、４６…圧縮・伸長回路、５０…メモリカード
【図１】
2004245923.tif 000004
【図２】
2004245923.tif 000005
【図３】
2004245923.tif 000006
【図４】
2004245923.tif 000007
【図５】
2004245923.tif 000008
【図６】
2004245923.tif 000009
【図７】
2004245923.tif 000010